(57)【要約】【課題】カメラ装置における昇圧系統の合理化及び電圧安定化を図る。【解決手段】カメラ装置は、電池電圧ＶＢを電源電圧ＶＤＤに昇圧する為に駆動されるコイルＬと、電源電圧の供給を受けシャッタ駆動用のモータを含む各種モータを駆動するモータ駆動ＩＣ１と、電源電圧の供給を受け被写体までの距離を光学的に測定する測距用ＩＣ２と、モータ駆動ＩＣ１及び測距用ＩＣ２を制御するＣＰＵとを備えている。モータ駆動ＩＣ１は、コイルを駆動するドライブトランジスタＱ１を内蔵し且つＣＰＵから供給されるクロック信号ＣＬＫにより動作する他励式昇圧回路を具備する。測距用ＩＣ２はコイルを駆動する為に外付のドライブトランジスタを要し且つ内部的に生成されるクロック信号により動作する自励式昇圧回路を具備する。ＩＣ１の他励式昇圧回路に内蔵されたドライブトランジスタＱ１をＩＣ２の自励式昇圧回路に必要な外付のドライブトランジスタとして共用する。【選択図】　　　図１
2004088672.tif 000002
【特許請求の範囲】
【請求項１】
電池電圧を所定の電源電圧に昇圧する為に駆動されるコイルと、該電源電圧の供給を受けシャッタ駆動用のモータを含む各種モータを駆動するモータ駆動ＩＣと、該電源電圧の供給を受け被写体までの距離を光学的に測定する測距用ＩＣと、該モータ駆動ＩＣ及び該測距用ＩＣを制御する制御部とを備えたカメラ装置であって、
前記モータ駆動ＩＣは、該コイルを駆動するドライブトランジスタを内蔵し且つ制御部から供給されるクロック信号により動作する他励式昇圧回路を具備し、
前記測距用ＩＣは該コイルを駆動する為に外付のドライブトランジスタを要し且つ内部的に生成されるクロック信号により動作する自励式昇圧回路を具備し、
該他励式昇圧回路に内蔵されたドライブトランジスタを該自励式昇圧回路に必要な外付のドライブトランジスタとして共用可能にしたことを特徴とするカメラ装置。
【請求項２】
前記自励式昇圧回路から出力される信号を該制御部から出力されるクロック信号とパラレルな関係で該他励式昇圧回路に入力し、以って該ドライブトランジスタを共用化することを特徴とする請求項１記載のカメラ装置。
【請求項３】
前記測距用ＩＣの電圧が保証値より低下した場合に、前記制御部からクロック信号を前記モータ駆動ＩＣに供給することで動作補償するように構成されていることを特徴とする請求項１または請求項２に記載のカメラ装置。
【発明の詳細な説明】
【０００１】
【発明の属する技術分野】
本発明はモータ駆動ＩＣや測距用ＩＣを内蔵したカメラ装置に関する。より詳しくは、これらのＩＣを給電する昇圧系統の改善技術に関する。
【０００２】
【従来の技術】
図４は、従来のカメラ装置の概要を示す模式的なブロック図である。図示する様に、従来のカメラ装置はモータ駆動ＩＣ１と測距用ＩＣ２と制御部ＣＰＵとを含んでいる。更に、これらＩＣ１，ＩＣ２，ＣＰＵを給電する為、昇圧系統を備えている。この昇圧系統はコイルＬ，ダイオードＤ，容量Ｃを含んでいる。コイルＬは電池電圧ＶＢを所定の電源電圧ＶＤＤに昇圧する為に駆動される。モータ駆動ＩＣ１は、電源電圧ＶＤＤの供給を受けシャッタ駆動用のモータを含む各種モータを駆動する。測距用ＩＣ２は、同じく電源電圧ＶＤＤの供給を受け被写体までの距離を光学的に測定する。ＣＰＵはモータ駆動ＩＣ１及び測距用ＩＣ２を制御する。
【０００３】
モータ駆動ＩＣ１及び測距用ＩＣ２はそれぞれ専用の昇圧回路を内蔵している。ＣＰＵは、モータ駆動ＩＣ１が動作状態にある時、ＩＣ１に内蔵された昇圧回路を有効にして、システムに電源電圧を供給している。又ＣＰＵは、測距用ＩＣ２が動作状態にある時、ＩＣ１の昇圧回路を停止する一方、ＩＣ２に内蔵された昇圧回路を有効にして、電源電圧の供給を制御している。この様にすることで、被写体の測距時、ＩＣ１側から生ずるノイズの発生を防止して、測距精度を高めている。仮に、ＩＣ１側の昇圧回路が動作状態のままＩＣ２の測距動作を行なうと、発振を伴う昇圧でノイズが生じ測距精度に悪影響を及ぼす。
【０００４】
モータ駆動ＩＣ１は、コイルＬを駆動するドライブトランジスタＱ１を内蔵し、且つＣＰＵから供給されるクロック信号パルスＣＬＫにより動作する他励式昇圧回路を具備している。この他励式昇圧回路はコンパレータＣＯＭＰ１を含んでいる。ＣＯＭＰ１は所定の参照電圧Ｖｒｅｆ１と所定の抵抗比で分圧された電源電圧ＶＤＤを比較し、その結果に応じた信号をドライブトランジスタＱ１のベースに出力する。図示しないが、出力信号はＣＬＫに応じてパルス化されており、ドライブトランジスタＱ１はパルスＯＵＴを出力する。これにより、コイルＬがパルス駆動され、ダイオードＤ及び容量Ｃを介して昇圧された電源電圧ＶＤＤが得られる。電源電圧ＶＤＤのレベルは参照電圧Ｖｒｅｆ１により一定に制御される。
【０００５】
これに対し、測距用ＩＣ２は、コイルＬを駆動する為に外付のドライブトランジスタＱ２を要し且つ内部的に生成されるクロック信号により動作する自励式昇圧回路を具備している。この自励式昇圧回路はコンパレータＣＯＭＰ２を含む。ＣＯＭＰ２は所定の参照電圧Ｖｒｅｆ２と所定の抵抗比で分圧された電源電圧ＶＤＤを比較し、その結果に応じて出力信号ＰＲＥＯＵＴを外付のドライブトランジスタＱ２のベースに供給する。尚図示しないが、出力信号ＰＲＥＯＵＴは内部的に生成されたクロック信号によりパルス化されている。
【０００６】
【発明が解決しようとする課題】
以上説明した様に、モータ駆動用ＩＣ１と測距用ＩＣ２はノイズ抑制の観点から、それぞれ自前の昇圧回路を内蔵している。ＩＣ１は他励式で且つドライブトランジスタを内蔵した昇圧回路構成である。ＩＣ２は自励式で且つ外付のドライブトランジスタを利用した回路構成となっている。この様な構成では、コイルＬを駆動する為、二個のドライブトランジスタＱ１，Ｑ２が必要となり、製造コストの面から解決すべき課題となっている。ドライブトランジスタは大容量の電流を供給する必要がある為、高価でありコストの圧迫要因となっている。又、それぞれのＩＣに内蔵された昇圧回路は別々の基準電圧（参照電圧）で動作している。この為、昇圧系統の切り換わりで、電源電圧の変動が生じ解決すべき課題となっている。
【０００７】
【課題を解決するための手段】
上述した従来の技術の課題に鑑み、本発明はカメラ装置における昇圧系統の合理化及び電圧安定化を達成することを目的とする。係る目的を達成するために以下の手段を講じた。即ち本発明は、電池電圧を所定の電源電圧に昇圧する為に駆動されるコイルと、該電源電圧の供給を受けシャッタ駆動用のモータを含む各種モータを駆動するモータ駆動ＩＣと、該電源電圧の供給を受け被写体までの距離を光学的に測定する測距用ＩＣと、該モータ駆動ＩＣ及び該測距用ＩＣを制御する制御部とを備えたカメラ装置であって、前記モータ駆動ＩＣは、該コイルを駆動するドライブトランジスタを内蔵し且つ制御部から供給されるクロック信号により動作する他励式昇圧回路を具備し、前記測距用ＩＣは該コイルを駆動する為に外付のドライブトランジスタを要し且つ内部的に生成されるクロック信号により動作する自励式昇圧回路を具備し、該他励式昇圧回路に内蔵されたドライブトランジスタを該自励式昇圧回路に必要な外付のドライブトランジスタとして共用可能にしたことを特徴とする。具体的には、前記自励式昇圧回路から出力される信号を該制御部から出力されるクロック信号とパラレルな関係で該他励式昇圧回路に入力し、以って該ドライブトランジスタを共用化している。さらに、前記測距用ＩＣの電圧が保証値より低下した場合に、前記制御部からクロック信号を前記モータ駆動ＩＣに供給することで、動作補償されるように構成されている。
【０００８】
本発明によれば、測距用ＩＣの自励式昇圧回路に割り当てるドライブトランジスタとして、従来の専用に外付されたドライブトランジスタではなく、モータ駆動ＩＣの他励式昇圧回路に内蔵されたドライブトランジスタを割り当てている。これにより、測距用ＩＣとモータ駆動用ＩＣとでドライブトランジスタの共有化が可能となる。具体的な回路構成では、測距用ＩＣの自励式昇圧回路から出力されるパルス信号を、制御部から出力されるクロック信号とパラレルな関係でモータ駆動ＩＣの他励式昇圧回路に入力している。これにより、ドライブトランジスタの共用化が可能になるばかりでなく、昇圧された電源電圧のレベル制御は、モータ駆動ＩＣの他励式昇圧回路側に統一され、各ＩＣの動作の切り換わりで電源電圧の変動が生じない昇圧系統となる。
【０００９】
【発明の実施の形態】
以下図面を参照して本発明の実施の形態を詳細に説明する。図１は本発明に係るカメラ装置の全体的な構成を示すブロック図である。理解を容易にする為、図４に示した従来のカメラ装置と対応する部分には対応する参照番号を付してある。図示する様に、本カメラ装置はモータ駆動ＩＣ１と測距用ＩＣ２とＣＰＵとで構成されている。又、ＩＣ１，ＩＣ２，ＣＰＵを給電する為、昇圧系統が組み込まれている。昇圧系統は、コイルＬ、ダイオードＤ、容量Ｃなどを含んでいる。コイルＬは電池電圧ＶＢを所定の電源電圧ＶＤＤに昇圧する為にパルス駆動される。モータ駆動ＩＣ１は、電源電圧ＶＤＤの供給を受け、レンズ駆動用モータ、シャッタ駆動用モータ、フィルム巻き上げ用モータなどの各種モータを駆動する。測距用ＩＣ２は同じく電源電圧ＶＤＤの供給を受け被写体までの距離を光学的に測定する。ＣＰＵはカメラ装置の制御部を構成しており、モータ駆動ＩＣ１及び測距用ＩＣ２を制御して、被写体の撮影を実行する。具体的には、最初に測距用ＩＣ２を制御して被写体までの距離を求める。次に被写体距離情報やその他の撮影条件に基づいて露光秒時を決定する。この後モータ駆動ＩＣ１を制御して必要に応じレンズの繰り出しを行なった後露光秒時に従ってシャッタを駆動する。その後、フィルムのコマ送りを自動的に行なう。
【００１０】
モータ駆動ＩＣ１及び測距用ＩＣ２はノイズ防止の為、それぞれ専用の昇圧回路を内蔵している。モータ駆動ＩＣ１の昇圧回路は、コイルＬを駆動するドライブトランジスタＱ１を内蔵し且つＣＰＵから供給されるクロック信号パルスＣＬＫにより動作する他励式となっている。この他励式昇圧回路はコンパレータＣＯＭＰ１を有し、所定の基準電圧Ｖｒｅｆ１と一対の直列抵抗Ｒ１１，Ｒ１２で分圧された電源電圧ＶＤＤとを比較し、その結果に応じた出力信号をドライブトランジスタＱ１のベースに供給する。図示しないが、この出力信号はＣＰＵから供給されるクロック信号ＣＬＫによってパルス化されている。この結果、ドライブトランジスタＱ１はドライブパルスＯＵＴをコイルＬに供給し、ＶＢからＶＤＤへの昇圧動作を実現している。
【００１１】
測距用ＩＣ２の昇圧回路は、コイルＬを駆動する為に外付のドライブトランジスタを要し且つ内部的に生成されるクロック信号により動作する自励式である。この自励式昇圧回路はコンパレータＣＯＭＰ２を含んでおり、所定の基準電圧Ｖｒｅｆ２と一対の直列抵抗Ｒ２１，Ｒ２２で分圧された電源電圧ＶＤＤを比較し、その結果に応じた信号ＰＲＥＯＵＴを出力する。この出力信号ＰＲＥＯＵＴはＩＣ２の内部で生成されたクロック信号によりパルス化されている。
【００１２】
本発明の特徴事項として、ＩＣ１の他励式昇圧回路に内蔵されたドライブトランジスタＱ１を、ＩＣ２の自励式昇圧回路に必要な外付のドライブトランジスタとして共用可能にしている。具体的には、ＩＣ２の自励式昇圧回路から出力されるパルス信号ＰＲＥＯＵＴを、ＣＰＵから出力されるクロック信号パルスＣＬＫとパラレルな関係で、ＩＣ１の他励式昇圧回路に入力し、以ってドライブトランジスタＱ１を共用化している。
【００１３】
引続き図１を参照して、本カメラ装置の昇圧系統の動作を説明する。ＣＰＵ１はＩＣ１とＩＣ２を選択的に制御する。ＩＣ１を制御して各種モータの駆動を行なう場合には、ＣＰＵはクロック信号パルスＣＬＫをＩＣ１に供給する。これにより、ＩＣ１の他励式昇圧回路は動作状態に置かれ、内蔵のドライブトランジスタＱ１を駆動する。ドライブトランジスタＱ１から出力されたパルス信号ＯＵＴにより、コイルＬがパルス駆動され、ダイオードＤ及び容量Ｃを介して所望のレベルまで昇圧された電源電圧ＶＤＤを出力する。この時コンパレータＣＯＭＰ１は基準電圧Ｖｒｅｆ１に基づいて電源電圧ＶＤＤのレベルを一定に制御する。
【００１４】
一方ＩＣ２を制御して測距を行なう時には、ＩＣ２の自励式昇圧回路から出力されたパルス信号ＰＲＥＯＵＴをクロック信号パルスとしてＩＣ１の他励式昇圧回路に供給する。これにより、ＩＣ１の他励式昇圧回路が動作し、ドライブトランジスタＱ１をパルス駆動して電池電圧ＶＢを電源電圧ＶＤＤに昇圧する。この様に、ＩＣ２の昇圧回路は、従来の様に別途外付のドライブトランジスタを用いるのではなく、ＩＣ１に内蔵されたドライブトランジスタＱ１を外付のドライブトランジスタの代わりに用いている。この時、昇圧された電源電圧ＶＤＤのレベルは、ＩＣ２側の基準電圧Ｖｒｅｆ２ではなく最終的にはＩＣ１側のＶｒｅｆ１により決定される。従って、昇圧系統がＩＣ１とＩＣ２の間で切り換わっても、ＶＤＤのレベル変動は基本的に生じない構成となっている。又、電池電圧ＶＢの低下などにより、有効なパルス信号ＰＲＥＯＵＴが出力困難になる場合がある。この時には、ＣＰＵはＰＲＥＯＵＴに代えてクロックパルスＣＬＫをＩＣ１に供給することで、動作の安定化を図っている。すなわち、本実施形態では、ＩＣ２のパルス出力ＰＲＥＯＵＴをＩＣ１のクロック信号入力に接続するとともに、更に低電圧時の動作補償用としてＣＰＵのクロック信号出力ＣＬＫをＩＣ１のクロック信号入力に接続している。
【００１５】
図２は、図１に示したモータ駆動ＩＣ１の具体的な構成例を示すブロック図である。図示する様にモータ駆動ＩＣ１は、基準電圧生成部１１、昇圧回路部１２、モータ駆動回路部１３、制御回路部１４、インジケータ部１５などを含んでいる。基準電圧生成部１１は、基準電圧生成回路１１ａ及び保護回路１１ｂを含んでいる。基準電圧生成回路１１ａは内部的に基準電圧Ｖｒｅｆａ及びＶｒｅｆ１を生成する。更に、出力端子ＶＡＦを介してＩＣ２側にＡＦレギュレータ出力を供給している。
【００１６】
昇圧回路部１２は、接地端子ＧＮＤ、クロック信号入力端子ＣＬＫ、コイル接続端子ＣＯＮＴ、電源電圧端子ＶＤＤを備えている。モータ駆動用ＩＣ１の昇圧回路は、制御回路１４、コンパレータＣＭＰ１、アンド素子ＡＮＤ、ドライブトランジスタＱ１、分圧抵抗Ｒ１１，Ｒ１２などで構成されており、その昇圧動作は図１を参照して詳細に説明した通りである。すなわち、ＣＭＰ１は基準電圧Ｖｒｅｆ１と抵抗Ｒ１１及びＲ１２で分圧されたＶＤＤとを比較し、その結果に応じた信号をドライブトランジスタＱ１のベースに供給する。その際、ＣＭＰ１の出力端子はアンド素子ＡＮＤを介してドライブトランジスタＱ１のベースに供給されている。アンド素子ＡＮＤにはＣＰＵから供給されたクロック信号パルスＣＬＫが入力されている。この結果、ドライブトランジスタＱ１のベースにはパルス化された駆動信号が印加される。ドライブトランジスタＱ１のコレクタにはコイルＬが接続されており、電池電圧ＶＢを電源電圧ＶＤＤまで昇圧している。
【００１７】
モータ駆動回路部１３はシーケンシャルに三個のモータを駆動する為、三個の出力チャネルＣＨ１，ＣＨ２，ＣＨ３を備えている。各チャネルは四個のトランジスタを接続したブリッジ回路となっている。尚、隣り合うブリッジ回路でブリッジの一辺が共用されている。チャネルＣＨ１の一対の出力端子ＭＤＯ１，ＭＤＯ２の間にはレンズ駆動用モータＬＭが接続されている。又チャネルＣＨ２の出力端子ＭＤＯ２，ＭＤＯ３にはフィルム巻き上げ用のモータＦＭが接続されている。チャネルＣＨ３の出力端子ＭＤＯ３，ＭＤＯ４の間にはシャッタ駆動用のモータＳＭが接続されている。尚、シャッタ駆動用のモータＳＭは定電流駆動されており、これに必要な基準電圧Ｖｒｅｆａは前述した基準電圧生成回路１１ａから供給されている。
【００１８】
制御回路１４は上述したモータ駆動回路部１３に含まれる各チャネルＣＨ１，ＣＨ２，ＣＨ３を制御して、モータＬＭ，ＦＭ，ＳＭをシーケンシャルに駆動する。制御回路１４は入力端子ＳＭＬ０，ＳＭＬ１，ＳＭＬ２，ＳＭＬ３に接続されている。制御回路１４はこれらの接続端子を介してＣＰＵから供給される制御信号に基づき、駆動回路１３を制御して三個のモータＬＭ，ＦＭ，ＳＭをシーケンシャルに駆動する。また、分圧抵抗Ｒ１１，Ｒ１２への電源ＶＤＤの供給も制御している。
【００１９】
インジケータ部１５は制御回路１４の制御の下、端子ＶＯＳを介して、シャッタ動作中を示すインジケータ信号を出力する。同様に端子ＶＯＦを介してフィルムモータ動作中を示すインジケータ信号を出力する。更に端子ＶＯＬを介してレンズモータ動作中を示すインジケータ信号を出力する。加えてＩＣ１は端子ＢＣＭを備えており、バッテリーチェックモニタ用の信号をＣＰＵ側に出力している。
【００２０】
図３は、図１に示した測距用ＩＣ２の具体的な構成例を示すブロック図である。図示する様に、測距用ＩＣ２は、昇圧回路２１、レギュレータ２２、発振回路２３、発光素子用の駆動回路２４、受光素子用のアンプ２５，２６、周囲光キャンセラ２７，２８、オペレータ２９、ＡＤコンバータ３０、制御回路３１などを備えている。
【００２１】
昇圧回路２１は図１に示した通りの内部構成を有しており、パルス信号ＰＲＥＯＵＴを出力する。本発明では、このパルス出力ＰＲＥＯＵＴは図２に示したＩＣ１のクロック信号入力端子ＣＬＫに供給される。但し、図３では参考の為、昇圧回路２１のパルス出力ＰＲＥＯＵＴが、外付のドライブトランジスタＱ２に供給される場合を表わしている。昇圧された電源電圧ＶＤＤのレベルはレギュレータ２２によって安定的に調整される。又、昇圧回路２１の駆動に必要なクロック信号パルスは、発振回路２３で内部的に生成されたクロック信号が制御回路３１を介して昇圧回路２１側に供給される構成となっている。従って、ＩＣ２全体として見ると、内部的に生成されたクロック信号で昇圧回路２１が動作する自励式構成となっている。尚、発振回路２３は端子ＯＳＣを介して接続されている外付のＣＲ回路を利用して発振動作を行なっている。
【００２２】
ＩＣ２は発光素子として外付の赤外発光ダイオードＩＲＥＤを用いている。又、受光素子として外付の位置検出素子ＰＳＤを用いている。発光素子ＩＲＥＤは光軸方向にある被写体に対して光束を投光する。ＰＳＤは被写体から戻って来る光束を受光して対応する電気信号を出力する。制御回路３１は電気信号を処理して被写体までの距離を示すデータＤＡＴＡを算出する。算出された測距データＤＡＴＡはＣＰＵに送られる。一方、ＣＰＵは制御信号ＣＴＲＬを制御回路３１に送って、ＩＣ２の動作を制御する。
【００２３】
具体的に見ると、ＩＲＥＤは外付のドライブトランジスタＴＲによってパルス駆動されている。ドライブトランジスタＴＲのベースには駆動回路２４から駆動パルスが供給されている。尚、ＩＲＥＤに流れる電流はフィードバック端子ＦＢを介して駆動回路２４側に取り込まれ、ＩＲＥＤのフィードバック制御が行なわれる。又、ＩＲＥＤに印加される電源電圧ＶＤＤはレギュレータ２２によって安定的に制御されている。
【００２４】
一方、受光側のＰＳＤは一対の入力端子ＰＳＤ１，ＰＳＤ２を介して、それぞれ対応するアンプ２５，２６に接続している。アンプ２５には周囲光キャンセラ２７が並列接続されており、ノイズの原因となる周囲光をキャンセルしている。同様に、アンプ２６にも周囲光キャンセラ２８が並列接続されている。一対のアンプ２５，２６の出力はオペレータ２９及びＡＤコンバータ３０を介して、制御回路３１に取り込まれる。前述した様に、制御回路３１はＰＳＤから得られた電気信号に基づき、被写体までの距離を算出する。
【００２５】
【発明の効果】
以上説明した様に、本発明によれば、昇圧コイルを駆動する為のドライブトランジスタを従来の二個から一個に削減可能となり、コストダウンに寄与できる。又、モータ駆動ＩＣと測距用ＩＣで昇圧用のドライブトランジスタを共通化したことで、ＩＣ切り換え時の電圧変動を解消することが可能になった。加えて、測距用ＩＣから出力されるパルス信号を、ＣＰＵから出力されるクロック信号とパラレルな関係でモータ駆動ＩＣに供給することで、測距用ＩＣの動作保証電圧以下でも、昇圧系統が正常に動作できる様補償している。
【図面の簡単な説明】
【図１】本発明に係るカメラ装置の実施形態を示すブロック図である。
【図２】図１に示したカメラ装置に組み込まれるモータ駆動ＩＣの具体的な構成を示すブロック図である。
【図３】図１に示したカメラ装置に組み込まれる測距用ＩＣの具体的な構成を示すブロック図である。
【図４】従来のカメラ装置の一例を示すブロック図である。
【符号の説明】
ＩＣ１・・・モータ駆動ＩＣ、Ｑ１・・・ドライブトランジスタ、ＣＯＭＰ１・・・コンパレータ、Ｒ１１・・・分圧抵抗、Ｒ１２・・・分圧抵抗、ＩＣ２・・・測距用ＩＣ、ＣＯＭＰ２・・・コンパレータ、Ｒ２１・・・分圧抵抗、Ｒ２２・・・分圧抵抗、Ｌ・・・コイル、Ｄ・・・ダイオード、Ｃ・・・容量
【図１】
2004088672.tif 000003
【図２】
2004088672.tif 000004
【図３】
2004088672.tif 000005
【図４】
2004088672.tif 000006